(57)【要約】【課題】軽量気泡コンクリートパネル（ＡＬＣ薄型パネル）等のようにぜい弱な材料を使用して得られた複合床板においても、確実に固定されて回り止めとなると共に、強度が確保でき、かつ、施工性を向上させることができる床用支持具およびこれを用いた床構造を提供する。【課題を解決するための手段】複合床板に開けられた孔（５）に挿入される上受座筒状部（４１ａ）と上受座フランジ部（４１ｂ）を備えた上受座（４１）、上受座筒状部（４１ａ）の内側にねじ入れ可能な下受座（４３）からなり、上受座筒状部（４１ａ）には、上受座筒状部（４１ａ）の上側開口より軸方向にスリット（４１ｅ）が設けられており、かつ、上受座筒状部（４１ａ）の外径が、複合床板に開けられた孔（５）の内径よりも０．５ｍｍ〜１．５ｍｍだけ大きい。【選択図】  図１
2007154642.tif 000002
【特許請求の範囲】
【請求項１】
軽量気泡コンクリートパネルを用いた複合床板のための床用支持具であり、前記複合床板に開けられた孔に挿入される上受座筒状部と上受座フランジ部を備えた上受座、該上受座筒状部の内側にねじ入れ可能な下受座からなり、前記上受座筒状部には、上受座筒状部の上側開口より軸方向にスリットが設けられており、かつ、上受座筒状部の外径が、前記複合床板に開けられた孔の内径よりも大きいことを特徴とする床用支持具。
【請求項２】
前記上受座筒状部の外径は、前記複合床板に開けられた孔の内径よりも０．５ｍｍ〜１．５ｍｍだけ大きいことを特徴とする請求項１に記載の床用支持具。
【請求項３】
前記下受座には、該下受座を支持する足ゴムに固定可能な突起を備えることを特徴とする請求項１または２に記載の床用支持具。
【請求項４】
前記下受座には、足ゴムが挿入される笠部を備えることを特徴とする請求項１または２に記載の床用支持具。
【請求項５】
前記上受座フランジ部には、リブを備えることを特徴とする請求項１から５のいずれかに記載の床用支持具。
【請求項６】
請求項１から５のいずれかに記載の床用支持具を取り付けられたことを特徴とする複合床板。
【請求項７】
請求項６に記載の複合床板を配置して得られることを特徴とする床構造。
【発明の詳細な説明】
【技術分野】
【０００１】
本発明は、コンクリートスラブ等の床基盤上に、所望の高さで設置される床構造および床用支持具に関する。
【背景技術】
【０００２】
従来より、インテリジェントオフィスなどにおいて、パソコンやプリンタへの電源配線や、ＬＡＮケーブルなどを通すために、コンクリートスラブ等の床基盤上に、所望の高さで設置される床構造が採用されてきた。このような床構造について、図面を参照して説明する。図１１は、従来の床構造の一例を示した一部破断斜視図である。
【０００３】
従来の床構造については、例えば、特開２００３−３５０２８号公報に記載されている。床用支持具は、上受座（３１）および下受座（３２）からなる。上受座（３１）は、上受座筒状部（３１ａ）およびその下端に形成された上受座フランジ部（３１ｂ）を備え、上受座筒状部（３１ａ）の外周面には雄ねじ（３１ｃ）が、その内周面には、雌ねじ（３１ｄ）がそれぞれ形成されている。一方、下受座（３２）は、下受座脚部（３２ａ）およびその下端に形成された下受座フランジ部（３２ｂ）を備え、下受座脚部（３２ａ）の外周面には雄ねじ（３２ｃ）が形成されている。
【０００４】
床構造の設置方法としては、先ず、床板（６）の裏側より、上受座（３１）の上受座フランジ部（３１ｂ）が、床板（６）の裏側に当たるように、上受座筒状部（３１ａ）を床板（６）の孔（７）に雄ねじ（３１ｃ）によりねじ入れて挿入し、上受座（３１）を床板（６）に下側より固定する。次に、上受座筒状部（３１ａ）の内周面に設けられた雌ねじ（３１ｄ）に、下受座脚部（３２ａ）の雄ねじ（３２ｃ）をねじ入れることにより、下受座（３２）を取り付ける。下受座（３２）の下受座脚部（３２ａ）の上端面には、孔（７）の上方から旋回可能なねじ穴（３１ｆ）が開けられており、コンクリートスラブ等の床基盤からの床板（６）の高さを、床板（６）の上方より調節可能とする。
【０００５】
上受座（３１）は、雄ねじ（３１ｃ）を床板（６）の孔（７）の内周面に食い込ませることにより固定する。また、床板（６）から離れるように下受座（３２）が回転する際は、上受座（３１）が床板（６）に向かって挿入されるように、それぞれのねじ山構造が方向付けされている。
【０００６】
このような床用支持具を脚体として、床板（６）を床基盤上に高さ調節可能に設置することができる。なお、下受座フランジ部（３２ｂ）の下面に、足ゴム（３４）を当接させて、足ゴム（３４）を介して床基盤上に設置することもできる。
【０００７】
しかし、このような床構造は、床板（６）が、合板やパーティクルボード等のように、十分な強度を有するパネルにおいて適用することが可能であるが、軽量気泡コンクリートパネル（ＡＬＣ薄型パネル）等のようにぜい弱な材料では、雄ねじ（３１ｃ）が、床板（６）の孔（７）にねじ入れる際に、孔（７）の内周面を損傷し、固定力を失い、床板（６）の高さ調節ができなくなり、さらには、床構造の強度が十分に確保できなくなるという問題があった。
【０００８】
【特許文献１】特開２００３−３５０２８号公報
【発明の開示】
【発明が解決しようとする課題】
【０００９】
本発明の目的は、軽量気泡コンクリートパネル（ＡＬＣ薄型パネル）等のようにぜい弱な材料を使用して得られた複合床板においても、確実に固定されて回り止めとなると共に、強度が確保でき、かつ、施工性を向上させることができる床用支持具およびこれを用いた床構造を提供することにある。
【課題を解決するための手段】
【００１０】
本発明の床用支持具は、軽量気泡コンクリートパネルを用いた複合床板のための床用支持具であり、前記複合床板に開けられた孔に挿入される上受座筒状部と上受座フランジ部を備えた上受座、該上受座筒状部の内側にねじ入れ可能な下受座からなり、前記上受座筒状部には、上受座筒状部の上側開口より軸方向にスリットが設けられており、かつ、上受座筒状部の外径が、前記複合床板に開けられた孔の内径よりも大きい。
【００１１】
さらに、前記上受座筒状部の外径は、前記複合床板に開けられた孔の内径よりも０．５ｍｍ〜１．５ｍｍだけ大きいことが望ましい。
【００１２】
さらに、前記下受座には、該下受座を支持する足ゴムに固定可能な突起を備えることが望ましい。あるいは、前記下受座には、足ゴムが挿入される笠部を備えることが望ましい。
【００１３】
さらに、前記上受座フランジ部には、リブを備えることが望ましい。
【００１４】
本発明の複合床板には、前記のいずれかの床用支持具を取り付けられる。
【００１５】
本発明の床構造は、前記の複合床板を配置して得られる。
【発明の効果】
【００１６】
本発明により、軽量気泡コンクリートパネル（ＡＬＣ薄型パネル）等のようにぜい弱な材料を使用して得られた複合床板においても、確実に固定されて回り止めとなると共に、強度が確保でき、かつ、施工性が向上できる床構造および床用支持具を提供することが可能となる。
【００１７】
さらに、集合住宅などにおいて、階下への騒音伝播を防止する効果を得ることができる。
【発明を実施するための最良の形態】
【００１８】
本発明の床用支持具について、図面を参照して説明する。
【００１９】
図６は、本発明の床構造の一実施例を示す一部破断組立斜視図である。図７は、図６の上受座を示す一部破断斜視図である。図８は、図６の下受座を示す一部破断斜視図である。図９は、図６の足ゴムを示す一部破断斜視図である。図１０は、図６の床構造が組み立てられた状態を示す一部破断斜視図および部分拡大図である。
【００２０】
複合床板は、軽量気泡コンクリートパネル（２）を合板（１）と合板（３）で挟んだ構造を有し、各部材を接着することにより得られる。複合床板の厚さは、施工条件等により決定されてもよく、任意であり、一般的には、軽量気泡コンクリートパネル（２）は、３７ｍｍ程度、合板（１）は、９ｍｍ程度、合板（３）は、４ｍｍ程度の厚さを有する。接着は、周知技術のいずれかの方法により行う。得られた複合床板は、軽量であると共に、合板やパーティクルボード等よりも、振動を伝えにくい。得られた複合床板には、４隅から所定寸法だけ平面方向内側の４箇所と、必要である場合に、中央や、長辺の中央から所定寸法だけ平面方向内側の２箇所とに、例えば内径２４ｍｍ程度の孔（５）を主面に垂直に開ける。
【００２１】
上受座（２１）は、上受座筒状部（２１ａ）と上受座フランジ部（２１ｂ）が一体に形成され、上受座筒状部（２１ａ）は、複合床板に開けられた孔（５）の内径よりも０．５ｍｍ〜１．５ｍｍだけ大きく、例えば２５ｍｍ程度の外径を有する円筒形状を有する。上受座筒状部（２１ａ）には、上受座フランジ部（２１ｂ）と反対側の開口側から軸方向に、途中までか、あるいは全体に、１つ以上のスリット（２１ｅ）が設けられる。スリット（２１ｅ）の数、幅および長さは、それぞれの材質および強度を考慮して、適宜、選定される。さらに、上受座筒状部（２１ａ）の内周面には、少なくとも上受座フランジ部（２１ｂ）寄りに、雌ねじ（２１ｄ）が設けられる。
【００２２】
上受座筒状部（２１ａ）の外径を複合床板の孔（５）の内径よりも大きくする。好ましくは、直径の差を０．５ｍｍ以上、１．５ｍｍ以下とする。
【００２３】
上受座筒状部（２１ａ）の外径が、孔（５）の内径より小さいと、上受座（２１）を複合床板に固定することが困難である。孔（５）の内径より大きくても、直径の差が０．５ｍｍ未満であれば、脱落する可能性があり、直径の差が１．５ｍｍを超えると、上受座筒状部（２１ａ）を孔（５）に挿入することができなかったり、挿入時にいずれかが損傷するので好ましくない。ただし、この直径の差についても、それぞれの材質および強度を考慮して、適宜、選定される。
【００２４】
下受座（２３）は、上受座（２１）の内側の雌ねじ（２１ｄ）に適合する雄ねじ（２３ｃ）を外周面の少なくとも一部に備える下受座筒状部（２３ａ）と、下受座フランジ部（２３ｂ）とが、一体に形成される。さらに、下受座フランジ部（２３ｂ）と反対側の下受座筒状部（２３ａ）の端部には、六角レンチ穴（２３ｆ）を備える。
【００２５】
前述のように、上受座筒状部（２１ａ）は、孔（５）の内径よりも０．５ｍｍ〜１．５ｍｍだけ大きい外径であることから、孔（５）に上受座筒状部（２１ｃ）を挿入した際、スリット（２１ｅ）が狭められ、上受座筒状部（２１ａ）の外径が小さくなるように変形し、上受座筒状部（２１ａ）の材質の特性である復元力により、孔（５）を内側から放射方向へ押す力を生じて、上受座筒状部（２１ａ）は、孔（５）の内側に固定される。下受座（２３）と上受座（２１）の間には、図１０に部分拡大図を示したような隙間（２２）が、前述の変形を許容する程度に開けられて、それぞれが寸法付けされる。
【００２６】
従って、床の高さを調整するために、六角レンチなどにより下受座（２３）を旋回しても、上受座（２１）が供回りすることがない。
【００２７】
足ゴム（２４）は、取付部（２４ａ）と足部（２４ｂ）とからなり、取付部（２４ａ）は、下受座（２３）の足ゴム挿入用穴（２３ｈ）に挿入可能で、容易に脱落しない程度に穴（２３ｈ）の内径より大きい外径の突起環（２４ｃ）を１つ、あるいは２つ以上、備える。さらに、下受座（２３）の下受座フランジ部（２３ｂ）の下端面に、足ゴム（２４）が脱落しないように爪状の突起（２３ｇ）を１つ以上、設けることが好ましい。
【００２８】
以下に、本発明の床の設置方法について、図面を参照して説明する。
【００２９】
予め、工場などにおいて、軽量気泡コンクリートパネル（２）を床板（１）および合板（３）で挟んで接着して複合床板を得て、必要な箇所に孔（５）を開ける。
【００３０】
現場では、先ず、同一方向から上受座（２１）を複合床板の孔（５）へ、上受座フランジ部（２１ｂ）が複合床板の下側主面に当接する位置まで挿入して固定する。下受座（２３）を上受座（２１）にねじ入れ、足ゴム（２４）を下受座（２３）に挿入する。次に、コンクリートスラブ等の床基盤上に配置してから、孔（５）の上方より六角レンチ穴（２３ｆ）に六角レンチを差し込んで、下受座（２３）を旋回することにより、高さを調節して、床を水平とする。
【００３１】
最後に、孔（５）の余分な凹み、複合床板と壁面との間および隣接する複合床板の間を、周知技術のいずれかを使用して処理することにより、床面を仕上げる。
【００３２】
以上により、本発明の床構造が容易に構成される。
【００３３】
本発明の異なる床用支持具について、図面を参照して説明する。
【００３４】
図１は、本発明の床構造の一実施例を示す一部破断組立斜視図である。図２は、図１の上受座を示す一部破断斜視図および底面図である。図３は、図１の下受座を示す一部破断斜視図である。図４は、図１の足ゴムを示す一部破断斜視図である。図５は、図１の床構造が組み立てられた状態を示す一部破断斜視図および部分拡大図である。
【００３５】
前述の実施例と異なる点は、上受座（４１）にリブ部（４１ｆ）を備えたことと、下受座（４３）に笠部（４３ｂ）を有することである。
【００３６】
リブ部（４１ｆ）を備えることにより、上受座（４１）の耐久性が向上し、複合床板の孔（５）が、かかる荷重により損傷しにくくなるという効果も得られる。
【００３７】
また、笠部（４３ｂ）を備えることにより、足ゴム（４４）を包むように挿入可能とする穴（４３ｈ）が形成でき、足ゴム（４４）の耐久性を向上させ、足ゴム（４４）による振動の遮断効果を高めることができるという効果が得られる。また、足ゴム（４４）の形状を簡素化することができるという効果も得られる。
【００３８】
本発明により得られた床構造は、軽量であると共に、従来の床構造よりも、振動を伝えにくい。本発明の床用支持具を使用し、複合床板を２階以上の部屋に設置したところ、従来技術により合板やパーティクルボード等を設置した場合と比較して、振動が下の階へ伝播しにくくなり、さらに、下の階の音が上へ伝播しにくくなった。従って、本発明は、住居者が容易に改築することの困難な集合住宅などにおいて、特に顕著な効果を得ることができる。
【図面の簡単な説明】
【００３９】
【図１】本発明の床構造の一実施例を示す一部破断組立斜視図である。
【図２】図１の上受座を示す一部破断斜視図および底面図である。
【図３】図１の下受座を示す一部破断斜視図である。
【図４】図１の足ゴムを示す一部破断斜視図である。
【図５】図１の床構造が組み立てられた状態を示す一部破断斜視図および部分拡大図である。
【図６】本発明の床構造の一実施例を示す一部破断組立斜視図である。
【図７】図６の上受座を示す一部破断斜視図である。
【図８】図６の下受座を示す一部破断斜視図である。
【図９】図６の足ゴムを示す一部破断斜視図である。
【図１０】図６の床構造が組み立てられた状態を示す一部破断斜視図および部分拡大図である。
【図１１】従来の床構造の一例を示した一部破断斜視図である。
【符号の説明】
【００４０】
１  合板
２  軽量気泡コンクリート
３  合板
５  孔
６  床板
７  孔
２１、４１  上受座
２１ａ、４１ａ  上受座筒状部
２１ｂ、４１ｂ  上受座フランジ部
２１ｄ、４１ｄ  雌ねじ
２１ｅ、４１ｅ  スリット
２２、４２  隙間
２３、４３  下受座
２３ａ、４３ａ  下受座筒状部
２３ｂ、４３ｂ  下受座フランジ部
２３ｃ、４３ｃ  雄ねじ
２３ｆ、４３ｆ  六角レンチ穴
２３ｇ  突起
２３ｈ、４３ｈ  足ゴム挿入用穴
２４、４４  足ゴム
２４ａ  取付部
２４ｂ  足部
２４ｃ  突起環
３１  上受座
３１ａ  上受座筒状部
３１ｂ  上受座フランジ部
３１ｃ  雄ねじ
３１ｄ  雌ねじ
３１ｆ  ねじ穴
３２  下受座
３２ａ  下受座筒状部
３２ｂ  下受座フランジ部
３２ｃ  雄ねじ
３４  足ゴム
４１ｆ  リブ
【図１】
2007154642.tif 000003
【図２】
2007154642.tif 000004
【図３】
2007154642.tif 000005
【図４】
2007154642.tif 000006
【図５】
2007154642.tif 000007
【図６】
2007154642.tif 000008
【図７】
2007154642.tif 000009
【図８】
2007154642.tif 000010
【図９】
2007154642.tif 000011
【図１０】
2007154642.tif 000012
【図１１】
2007154642.tif 000013